【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
符号化された画像データ列を再生する画像再生装置において、
複数の前記符号化された画像データ列を再生する再生手段と、
前記再生手段により再生された画像データ列を一時的に蓄積するバッファ手段と、
前記バッファ手段が蓄積できる画像データのサイズを前記画像再生装置が再生可能な画像データ列の要求する蓄積サイズの最大値の２倍以上に設定すると共に、デコード時刻に従って前記バッファ手段に蓄積された画像データを読み出してデコーダに出力する制御手段とを備え、
前記制御手段は、前記複数の画像データ列のうち第１の画像データ列の再生終了時点から第２の画像データ列を再生して前記バッファ手段への蓄積を開始するよう前記再生手段を制御することを特徴とする画像再生装置。
【請求項２】
符号化された画像データ列を再生する画像再生装置において、
複数の前記符号化された画像データ列を再生する再生手段と、
前記再生手段により再生された画像データ列を一時的に蓄積するバッファ手段と、
前記バッファ手段が蓄積できる画像データのサイズを設定すると共に、デコード時刻に従って前記バッファ手段に蓄積された画像データ列をデコーダに出力する制御手段とを備え、
前記制御手段は、前記複数の画像データのうち第１の画像データ列の要求する蓄積サイズを前記バッファ手段のサイズとして設定し、前記第１の画像データ列を再生して前記バッファ手段に蓄積するよう前記再生手段を制御すると共に、前記第１の画像データ列の再生を終了したことに応じて、前記第１の画像データ列の要求する蓄積サイズと第２の画像データ列の要求する蓄積サイズとの和を前記バッファ手段のサイズとして設定し直し、前記第１の画像データ列に続いて前記第２の画像データ列を再生して前記バッファ手段への蓄積を開始するよう前記再生手段を制御することを特徴とする画像再生装置。
【請求項３】
前記制御手段は更に、前記第２の画像データ列の再生開始後、前記バッファ手段に蓄積された第１の画像データ列を全て前記デコーダに出力し終えたことに応じて、前記第２の画像データ列の要求する蓄積サイズを前記バッファ手段のサイズとして設定し直すことを特徴とする請求項２に記載の画像再生装置。
【請求項４】
前記デコード時刻を算出する算出手段を更に備え、該算出手段は、前記第１の画像データ列の再生を終了した時刻に基づいて前記第２の画像データ列のデコード時刻を算出することを特徴とする請求項１乃至３の何れか１項に記載の画像再生装置。
【請求項５】
前記算出手段は前記画像データ列の蓄積サイズの情報に基づいて前記デコード時刻を算出することを特徴とする請求項１乃至４の何れか１項に記載の画像再生装置。
【請求項６】
符号化された画像データ列を再生する画像再生装置を制御する方法であって、
複数の前記符号化された画像データ列を再生する再生工程と、
前記再生工程において再生された画像データ列を一時的にバッファ手段に蓄積する蓄積工程と、
前記バッファ手段が蓄積できる画像データのサイズを前記画像再生装置が再生可能な画像データ列の要求する蓄積サイズの最大値の２倍以上に設定すると共に、デコード時刻に従って前記バッファ手段に蓄積された画像データを読み出してデコーダに出力する制御工程とを備え、
前記制御工程では、前記複数の画像データ列のうち第１の画像データ列の再生終了時点から第２の画像データ列を再生して前記バッファ手段への蓄積を開始するよう前記再生工程を制御することを特徴とする画像再生装置の制御方法。
【請求項７】
符号化された画像データ列を再生する画像再生装置を制御する方法であって、
複数の前記符号化された画像データ列を再生する再生工程と、
前記再生工程において再生された画像データ列を一時的にバッファ手段に蓄積する蓄積工程と、
前記バッファ手段が蓄積できる画像データのサイズを設定すると共に、デコード時刻に従って前記バッファ手段に蓄積された画像データ列をデコーダに出力する制御工程とを備え、
前記制御工程では、前記複数の画像データのうち第１の画像データ列の要求する蓄積サイズを前記バッファ手段のサイズとして設定し、前記第１の画像データ列を再生して前記バッファ手段に蓄積するよう前記再生工程を制御すると共に、前記第１の画像データ列の再生を終了したことに応じて、前記第１の画像データ列の要求する蓄積サイズと第２の画像データ列の要求する蓄積サイズとの和を前記バッファ手段のサイズとして設定し直し、前記第１の画像データ列に続いて前記第２の画像データ列を再生して前記バッファ手段への蓄積を開始するよう前記再生工程を制御することを特徴とする画像再生装置の制御方法。
【請求項８】
前記制御工程では更に、前記第２の画像データ列の再生開始後、前記バッファ手段に蓄積された第１の画像データ列を全て前記デコーダに出力し終えたことに応じて、前記第２の画像データ列の要求する蓄積サイズを前記バッファ手段のサイズとして設定し直すことを特徴とする請求項７に記載の画像再生装置の制御方法。
【請求項９】
前記デコード時刻を算出する算出工程を更に備え、該算出工程では、前記第１の画像データ列の再生を終了した時刻に基づいて前記第２の画像データ列のデコード時刻を算出することを特徴とする請求項６乃至８の何れか１項に記載の画像再生装置の制御方法。
【請求項１０】
前記算出工程では前記画像データ列の蓄積サイズの情報に基づいて前記デコード時刻を算出することを特徴とする請求項６乃至９の何れか１項に記載の画像再生装置の制御方法。
【手続補正２】
【補正対象書類名】明細書
【補正対象項目名】発明の名称
【補正方法】変更
【補正の内容】
【発明の名称】画像再生装置及びその制御方法
【手続補正３】
【補正対象書類名】明細書
【補正対象項目名】００２３
【補正方法】変更
【補正の内容】
【００２３】
上述した課題を解決し、目的を達成するために、本発明に係わる画像再生装置は、符号化された画像データ列を再生する画像再生装置において、複数の前記符号化された画像データ列を再生する再生手段と、前記再生手段により再生された画像データ列を一時的に蓄積するバッファ手段と、前記バッファ手段が蓄積できる画像データのサイズを前記画像再生装置が再生可能な画像データ列の要求する蓄積サイズの最大値の２倍以上に設定すると共に、デコード時刻に従って前記バッファ手段に蓄積された画像データを読み出してデコーダに出力する制御手段とを備え、前記制御手段は、前記複数の画像データ列のうち第１の画像データ列の再生終了時点から第２の画像データ列を再生して前記バッファ手段への蓄積を開始するよう前記再生手段を制御することを特徴とする。
【手続補正４】
【補正対象書類名】明細書
【補正対象項目名】００２４
【補正方法】変更
【補正の内容】
【００２４】
また、本発明に係わる画像再生装置は、符号化された画像データ列を再生する画像再生装置において、複数の前記符号化された画像データ列を再生する再生手段と、前記再生手段により再生された画像データ列を一時的に蓄積するバッファ手段と、前記バッファ手段が蓄積できる画像データのサイズを設定すると共に、デコード時刻に従って前記バッファ手段に蓄積された画像データ列をデコーダに出力する制御手段とを備え、前記制御手段は、前記複数の画像データのうち第１の画像データ列の要求する蓄積サイズを前記バッファ手段のサイズとして設定し、前記第１の画像データ列を再生して前記バッファ手段に蓄積するよう前記再生手段を制御すると共に、前記第１の画像データ列の再生を終了したことに応じて、前記第１の画像データ列の要求する蓄積サイズと第２の画像データ列の要求する蓄積サイズとの和を前記バッファ手段のサイズとして設定し直し、前記第１の画像データ列に続いて前記第２の画像データ列を再生して前記バッファ手段への蓄積を開始するよう前記再生手段を制御することを特徴とする。
【手続補正５】
【補正対象書類名】明細書
【補正対象項目名】００２５
【補正方法】変更
【補正の内容】
【００２５】
また、本発明に係わる画像再生装置の制御方法は、符号化された画像データ列を再生する画像再生装置を制御する方法であって、複数の前記符号化された画像データ列を再生する再生工程と、前記再生工程において再生された画像データ列を一時的にバッファ手段に蓄積する蓄積工程と、前記バッファ手段が蓄積できる画像データのサイズを前記画像再生装置が再生可能な画像データ列の要求する蓄積サイズの最大値の２倍以上に設定すると共に、デコード時刻に従って前記バッファ手段に蓄積された画像データを読み出してデコーダに出力する制御工程とを備え、前記制御工程では、前記複数の画像データ列のうち第１の画像データ列の再生終了時点から第２の画像データ列を再生して前記バッファ手段への蓄積を開始するよう前記再生工程を制御することを特徴とする
【手続補正６】
【補正対象書類名】明細書
【補正対象項目名】００２６
【補正方法】変更
【補正の内容】
【００２６】
また、本発明に係わる画像再生装置の制御方法は、符号化された画像データ列を再生する画像再生装置を制御する方法であって、複数の前記符号化された画像データ列を再生する再生工程と、前記再生工程において再生された画像データ列を一時的にバッファ手段に蓄積する蓄積工程と、前記バッファ手段が蓄積できる画像データのサイズを設定すると共に、デコード時刻に従って前記バッファ手段に蓄積された画像データ列をデコーダに出力する制御工程とを備え、前記制御工程では、前記複数の画像データのうち第１の画像データ列の要求する蓄積サイズを前記バッファ手段のサイズとして設定し、前記第１の画像データ列を再生して前記バッファ手段に蓄積するよう前記再生工程を制御すると共に、前記第１の画像データ列の再生を終了したことに応じて、前記第１の画像データ列の要求する蓄積サイズと第２の画像データ列の要求する蓄積サイズとの和を前記バッファ手段のサイズとして設定し直し、前記第１の画像データ列に続いて前記第２の画像データ列を再生して前記バッファ手段への蓄積を開始するよう前記再生工程を制御することを特徴とする。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】